(57)【要約】【課題】予め電源線を取り付けた端子台を設置できる電装品箱を提供する。【解決手段】予め電源線５２と信号線５３が接続された端子台３を取り付ける端子台取付部４５と、端子台取付部４５の下部にアース板６を取り付けるアース板取付部６１を備えた端子台ケース４が前方に配置された電装品箱２を収納する空気調和機において、端子台ケース４は、端子台取付部４５と左右いずれかの壁面との間と、アース板取付部６１と、アース板取付部６１の背面に設けた切欠部７５とに電源線５２を配線案内する電源線用通路７を設ける。【選択図】図６
2015049025.tif 000002
【特許請求の範囲】
【請求項１】
予め電源線と信号線が接続された端子台を取り付ける端子台取付部と、同端子台取付部の下方にアース板を取り付けるアース板取付部を備えた箱状の端子台ケースが前方に配置された電装品箱を収納する空気調和機において、
前記端子台ケースは、前記端子台取付部と左右いずれかの壁面との間と、前記アース板取付部と、前記アース板取付部の背面壁に設けた切欠部とに前記電源線を配線案内する電源線用通路を設けたことを特徴とする空気調和機。
【請求項２】
前記電源線用通路に配線案内された前記電源線は、前記端子台と前記アース板の背面に位置することを特徴とする請求項１に記載の空気調和機。
【発明の詳細な説明】
【技術分野】
【０００１】
本発明は空気調和機に係り、特に室内ユニットにおける電装品箱内の電源線の支持構造に関する。
【背景技術】
【０００２】
従来の空気調和機の室内機の電装品箱には、電源や制御信号を室内機内部や室外機へ供給する電源線を接続する端子台が、室内機の前面を覆う前面パネルの一部に設けた開口部に臨ませて配置されている。開口部には端子台を遮蔽するカバーが取り付けられている。端子台には端子台の前面に室外機側の電源線接続部があり、端子台の後面に室内機側の電源線接続部があり、端子台の後面側に電源線が引き込まれている。（特許文献１参照）。
【０００３】
また図７に示す端子台１００は、予め端子台１００の後面の接続部に電源線１０１と信号線（図示なし）を接続した端子台１００を電装品箱１０２の端子台ケース１０３へ取り付けたものである。そして端子台１００を端子台ケース１０３へ取り付けたのち、電源線１０１を横方向へ引き出して電装品箱１０２に設けた配線ガイド１０４に這わせて下方に電源線１０１を引き出している。この電装品箱１０２を配置する空気調和機は熱交換器を流れる冷媒が可燃性冷媒ではないため、熱交換器や配管の接続部等から漏れ出したガス冷媒が電装品箱１０２内に充満したとしても、端子台１００と端子の接続部から発生する火花により爆発する虞は少ないため、強固な防爆対応まではしていなかった。
【先行技術文献】
【特許文献】
【０００４】
【特許文献１】特開２００３−０８３５６７号公報
【発明の概要】
【発明が解決しようとする課題】
【０００５】
昨今、熱交換器を流れる冷媒に可燃性冷媒を採用する空気調和機がある。可燃性冷媒の空気調和機では、仮に熱交換器から漏れた可燃性冷媒のガス冷媒が爆発する濃度となっても、端子台と端子の接続部を遮蔽してガス冷媒に触れないようにする防爆手段が必要である。そのため、端子台を取り付ける端子台ケースは周囲を箱状に加工し開口面を板金で閉塞される。しかしながら、この端子台ケースでは従来例のように予め端子台の接続部に電源線と信号線を接続した端子台を端子台ケースに取り付けようとしても端子台が箱状に囲まれているため、従来例のように横方向から電源線を引き出すことができない。
【０００６】
本発明は以上述べた問題点を解決し、周囲を箱状に囲まれた端子台ケースに、予め電源線を接続した端子台を取り付けるための電源線用通路を設けた電装品箱を提供することを目的とする。
【課題を解決するための手段】
【０００７】
上述した課題を解決するために本発明は、予め電源線と信号線が接続された端子台を取り付ける端子台取付部と、端子台取付部の下方にアース板を取り付けるアース板取付部を備えた箱状の端子台ケースが前方に配置された電装品箱を収納する空気調和機において、端子台ケースは、端子台取付部と左右いずれかの壁面との間と、アース板取付部と、アース板取付部の背面壁に設けた切欠部とに電源線を配線案内する電源線用通路を設けたことを特徴とする。
【０００８】
また、電源線用通路に配線案内された電源線は、端子台とアース板の背面に位置することを特徴とする。
【発明の効果】
【０００９】
上記のように構成した本発明の空気調和機は、周囲が箱状の端子台ケースに電源線用通路を設けたことで、電源線用通路に電源線を配線案内したのち、端子台取付部に端子台を取り付けることができるので予め電源線を接続した端子台を取りつけることが可能となる。
また、電源線用通路に配線案内された電源線は、端子台とアース板の背面に位置して電源線が抜けることを防止することで折り曲がりにくい電源線が電源線用通路に収まることができる。
【図面の簡単な説明】
【００１０】
【図１】本発明による空気調和機の室内機の外観斜視図である。
【図２】室内機の前面パネルと端子台を示す図である。
【図３】電装品箱の分解図である
【図４】電装品箱の端子台ケースに端子台と配線を取り付けた正面図である。
【図５】電装品箱の端子台ケースの正面図である。
【図６】図４のＡ−Ａ断面の斜視図である。
【図７】従来の電装品箱の端子台ケースを示す図である。
【発明を実施するための形態】
【００１１】
以下、本発明を実施するための形態を、添付図面に基づいた実施例として詳細に説明する。
【実施例１】
【００１２】
本発明に係る空気調和機は、屋外に設置された室外機（図示なし）と、空調室内に設置される室内機１と冷媒配管を介して接続されて冷凍サイクルを構成する。室内機１は電源線を介して商用電源から電源の供給を受ける。また室内機１は室外機用配線で室内機側から室外機へ電源を供給するとともに室外機へ制御信号を送る。
【００１３】
＜室内機＞
図１は空調室の天井近くの壁面に取り付けられる室内機１の外観図である。室内機１は横長の矩形状であり、筐体は背面以外を前面パネル１１で覆われる。前面パネル１１の上面と前面には吸込口１２が設けられ、前面側の底面には吹出口１３が設けられ、吹出口１３には吹き出された空気の吹き出し方向を調整する上下風向板１４が備わる。吹出口１３の右横には人検知センサー１５があり、人検知センサー１５の上に表示部１６を備える。
前面パネル１１の前面には前面パネル１１の左右両端と吹出口１３の上端から吸込口１２までを覆う開閉パネル１７が着脱自在に取り付けられる。図１は室内機１が運転停止時の開閉パネル１７の状態で、空気調和機が運転を開始すると開閉パネル１７は上方に移動し吸込口１２を開口する。
【００１４】
尚、図１において室内機１の開閉パネル１７のある面を前面とし、前面の対面を背面とし、吹出口１３のある面を底面とし、底面の対面を上面とし、人検知センサー１５の近傍の側面を右側面とし、右側面の対面を左側面として説明する。また、個々の部品においても、室内機１に取り付けた状態での方向で説明する。
【００１５】
筐体の内部には筐体と平行に配置されたクロスフローファン型の送風ファンと送風ファンの周囲を囲む熱交換器とを備える。送風ファンは筐体の片側でファンモータに軸支される。ファンモータはケーシングに支えられる。ケーシングは吸込口１２と吹出口１３を結ぶ送風路を形成する。熱交換器はケーシングの左右端にそれぞれ固定される熱交換器取付板に固定される。（いずれも図示なし）。
室内機１はファンモータにより送風ファンが回転することで吸込口１２から取り入れられた室内空気を、熱交換器で冷媒と熱交換して冷気または暖気に換え送風路を通過して吹出口１３から上下風向板１４で風向調整をして空調室に吹き出す。
【００１６】
＜電装品箱＞
図２は前面パネル１１の右側を示す図であり、図３は電装品箱２の分解図である。前面パネル１１右側面側の内部には電装品箱２を備える。電装品箱２は熱交換器取付板（図示なし）に固定される。電装品箱２の左隣および下部には前述したファンモータと上下風向板１４を駆動するためモータ（図示なし）が配置されている。よって、電装品箱２の横幅を広げると筐体の横幅が大きくなるため、電装品箱２は前面側の横幅を狭くし、奥行を前面パネル１１の右側面に沿って背面側まで伸ばした形状となっている。電装品箱２の外郭は難燃性樹脂の電装ケース２１で形成されている。電装ケース２１の背面側は箱状となっており内部には空気調和機を制御する制御基板２２が収納されている。電装ケース２１の前面下部側には前述した表示部１６の光源（図示なし）と人検知センサー１５のセンサー部１５ａを取り付けて制御する表示基板２３が取り付けられ、電装ケース２１の前面側には、電源や制御信号を室内機１内部や室外機へ供給する電源線を接続する端子台３を取り付ける端子台ケース４が設けられている。端子台ケース４と表示基板２３の間は室外機用配線が通過する室外機用配線通路２８となる。
電装ケース２１の制御基板２２と端子台ケースの右側面側は、板金でなる燃焼防止板２４を内側に備えた電装カバー２５で隙間なく遮蔽され、電装部品から発火した場合に火が外部へ飛び移るのを防いでいる。
また、端子台ケース４の前面側は、板金でなる燃焼防止板２６を内側に備えたコネクタカバー２７で遮蔽され、端子台３から発火した場合に火が外部へ飛び移るのを防いでいる。
【００１７】
空気調和機の設置時に室外機用配線５１を端子台３に接続する作業や、メンテンナンス時に信号線を接続するために、前面パネル１１の前面には縦長矩形に設けた開口部１１ａが設けられている。開口部１１ａからは、電装品箱２の端子台ケース４を臨むことができる。端子台ケース４に取り付けるコネクタカバー２７は開口部１１ａから着脱することができる。
【００１８】
＜端子台ケース＞
図４は端子台ケース４に端子台３を取り付けた図で、図５は端子台３を取り付ける前の端子台ケース４を正面から見た図である。また図６は図４のＡ−Ａ断面の斜視図である。端子台３は予め四角いケースの上端に電源線５２と信号線５３が接続されている。端子台３を収納する端子台ケース４は右壁面４１と左壁面４２と上壁面４３と背面壁４４と室外機用配線通路２８の壁２８ａに囲まれた箱状であり、箱状の中央に端子台取付部４５とその下にアース板取付部６１とを備える。
端子台取付部４５は上方が背面側へ傾斜した取付面４５ａと取付面４５ａの下端に設けた支持リブ４５ｂとからなる。端子台３を端子台ケース４に取り付けるには支持リブ４５ｂで端子台３を位置合わせして取付面４５ａにネジで固定する。端子台３は右壁面４１と左壁面４２の間の幅一杯となる横幅を有する。
【００１９】
＜信号線＞
上面壁４３と端子台取付部４５の間の空間は電源線５２と信号線５３を引き回すための配線引き回し部４６である。右壁面４１は配線引き回し部４６に接する面に図２に示す開口部４７を備える。この開口部４７は信号線５３を配線引き回し部４６から制御基板２２に引き回す作業を行うための開口部４７である。信号線５３は配線引き回し部４６から開口部４７に接する背面壁４４に設けた第１切欠部７４を通り制御基板２２に接続される。信号線５３を接続した後は開口部４７は電装カバー２５で塞がれる。電装カバー２５を取り付けた右壁面４１は、左壁面４２と略同じ高さおよび形状となり、電装カバー２５を取り付けた右壁面４１と左壁面４２の上にコネクタカバー２７が隙間なく嵌着される。これにより端子台３の周囲が覆われ、仮に熱交換器や配管の接続部等から漏れ出したガス冷媒が電装品箱２の周囲で爆発する濃度になったとしても発火源となる端子台３が覆われているので発火することを防ぐことができる。
【００２０】
＜電源線と電源線通路＞
次に、予め端子台３に接続されている電源線５２の配線通路について説明する。室内機１は空調室内から給電する。そのため電源線５２と電源線５２の一方の端にあるプラグ（図示なし）は図６に示すように電装品箱２の下部を通り室内機１の背面から外に引き出されるように組み立てられる。
さて、端子台ケース４には、図５に示すように右壁面４１と端子台取付部４５の間に幅ほぼ８ｍｍの空間がある。これを第１通路７１とする。
アース板取付部６１にはアース板６が取付られる。アース板６は板金を加工したものであり、アース板取付部６１にアース板６を取り付けた時にアース板６の前面と端子台取付部４５の保持リブ４５ｂの前面が面一となる。そのために、アース板６の背面側を支える複数のリブ６２が背面壁４４から立設している。リブ６２の中で右端のリブ６２ａは、Ｌ字状であり端子台取付部４５の下と左隣のリブ６２ｂとに接合する。また左壁面４２にはアース板６の左端を上から抑える係止爪４２ａが突出する。右壁面４１に接し背面壁４４からアース板６の右端を係止する係止用リブ４１１が水平方向に立設する。係止用リブ４１１の先端は係止爪４１２を備え、室外機用配線通路２８から突出する係止爪２８ａとでアース板６を上から抑える。
右壁面４１と背面壁４４には、係止用リブ４１１が立設する位置の下部が切除されて形成された第２切欠部７５がある。右壁面４１とリブ６２ａと係止用リブ４１１および第２切欠部７５までの間を第２通路７２とする。そして、第１通路７１と第２通路７２が端子台ケース４の電源線用通路７となる。
【００２１】
＜配線案内＞
次に、端子台３を電装品箱２に取り付け、電源線５２を引き回す手順を説明する。尚、以下の説明では電源線５２について説明するが、電源線５２に限らず信号線５３も含まれる場合、または信号線５３だけの場合もある。
室内機１に電装品箱２を取り付ける前に電装品箱２に端子台３を取り付ける。予め端子台２には電源線５２と信号線５３が接続されている。まず、端子台３の上端に接続されている電源線５２を、端子台３の背面側へ折り曲げる。折り曲げた電源線５２を配線引き回し部４６に合わせる。その後順に第１通路７１と第２通路７２に配線案内をする。
第２切欠部７５の背面側に位置する壁には、第２切欠部７５と高さを合わせた第３切欠部７６があり、第３切欠部７６の下方には電装ケース２１の電源線出口（図示なし）があり、電源線５２を順次配線案内して電装品箱２の下部を通り室内機１の背面から外に引き出す。
電装品箱２に電源線５２が配線案内された後に端子台３を端子台取付部４５の取付面４５ａに合わせて上からネジで固定する。端子台３は右壁面４１と左壁面４２の間に隙間なく収まる。その後にアース板６をアース板取付部６１のリブ６２の上に置き、係止爪２８ａ、４２ａ、４１２で押さえて固定する。電源線５２は端子台３とアース板の下に位置して収まる。これにより、端子台３の背面側に電源線５２を引き回す電源線用通路７を設けたことで、端子台３の両側を壁で囲まれても電源線５２を引き回して取り付け、室内機１の外へ引き出すことができる。また、端子台ケース４のスペースが少なくてすみ室内機１を小型化できる。
【００２２】
次に予め端子台２に接続されている信号線５３を配線引き回し部４６から開口部４７に接する背面壁４４に設けた第１切欠部７４を通り制御基板２２に接続する。また図６に示す表示基板２３から引き出された配線５４を第２切欠部７５と第３切欠部７６にある電源線５２の上を通り制御基板２２へ接続する。配線５４まで接続が完了したのち電装ケース２１に電装カバー２５を被せて固定する。この後電装品箱２は室内機１に取り付けられ、電装品箱２は前面パネル１１で覆われる。
電源線５２は電装品箱２の底面に沿って背面側に渡され、室内機１の外に引き出される。一方、室外機用配線５１は、室内機１の背面から取り入れられて、室外機用配線通路２８から図２に示す前面パネル１１の開口部１１ａから前面側に引き出される。取付作業者は、引き出された室外機用配線５１をクランパ５５で上方に向けて固定してアース板６の上を通り、端子台３の底面に接続する。室外機用配線５１の接続が終了した端子台３をコネクタカバー２７で覆い、開閉パネルを被せて作業は終了する。
【００２３】
上記のように構成した室内機１は、周囲が箱状で右壁面４１と左壁面４２に挟まれた端子台ケース４に電源線用通路７を設け、電源線用通路７に電源線５２を配線案内したのち、端子台取付部４５に端子台３を設置することで、予め電源線５２を取り付けた端子台３を取りつけることが可能となる。
また、電源線用通路７に配線案内された電源線５２は、端子台３とアース板６の下に位置させることで折れ曲がりにくい電源線５２を電源線用通路７に収めることが可能となる。
【符号の説明】
【００２４】
１：室内機、１１：前面パネル、１７：開閉パネル
２：電装品箱、２１：電装ケース、２２：制御基板、２５：電装カバー、２７：コネクタカバー
３：端子台
４：端子台ケース、４１：右壁面、４２左壁面、４４：背面壁、４５：端子台取付部、４６：配線引き回し部、４１１：係止用リブ、５２：電源線、５３：信号線
６：アース板、６１：アース板取付部、リブ：６２
７：電源線用通路、７１：第１通路、７２：第２通路、７５：第２切欠部、７６：第３切欠部
【図１】
2015049025.tif 000003
【図２】
2015049025.tif 000004
【図３】
2015049025.tif 000005
【図４】
2015049025.tif 000006
【図５】
2015049025.tif 000007
【図６】
2015049025.tif 000008
【図７】
2015049025.tif 000009